(57)【要約】【目的】電子ペンに対する処理命令を電子ペンから記入する文字を利用して行うことが可能な情報処理装置の提供を目的とする。【構成】所定の用紙に電子ペン（１０）で文字等を記入して得た記入情報が、予め設定した用紙上の処理命令記入領域からの情報か否かを判別する記入領域判別手段（４１）と、前記記入情報を文字情報として認識するための文字認識手段（４２）と、文字認識された情報と処理命令とを対応付ける処理命令対応付け手段（４３）とを備え、前記記入情報が処理命令記入領域からの情報であると判別された場合に、前記文字認識された情報を対応する処理命令として情報処理するようにした情報処理装置。【選択図】  図６
2004302608.tif 000002
【特許請求の範囲】
【請求項１】
用紙への記入及び該記入に対応する電子的情報の取得が可能な電子ペンにより取得した記入情報を処理命令として所定の情報処理を行なう装置であって、
前記電子ペンにより取得した記入情報が用紙上に設けられた処理命令記入領域からの情報か否かを判別する記入領域判別手段と、
前記電子ペンにより取得した記入情報を文字情報として認識するための文字認識手段と、
前記文字情報と処理命令とを対応付ける処理命令対応付け手段とを備え、
前記記入領域判別手段により前記記入情報が処理命令記入領域からの情報であると判別された場合に、前記記入情報を認識して得られる文字情報を対応する処理命令として情報処理を行なうようにしたことを特徴とする電子ペン用情報処理装置。
【請求項２】
上記電子ペンは、インクペンユニットと光学的にドットパターンを読み取る読取ユニット及び読み取った情報を外部に伝達する情報伝達手段を備える電子ペンであり、前記記入情報は、電子ペンにより取得可能なドットパターンが形成された用紙上を電子ペンで描くことにより得られるストローク情報であることを特徴とする請求項１記載の電子ペン用報処理装置。
【請求項３】
上記記入領域判別手段は、上記ドットパターンの種類により判別するようにしたことを特徴とする請求項２記載の電子ペン用情報処理装置。
【請求項４】
上記電子ペン用情報処理装置が電子ペンと一体化されてなることを特徴とする請求項２または３記載の電子ペン用情報処理装置。
【請求項５】
上記電子ペン用情報処理装置が電子ペンと繋がる端末に具備されてなることを特徴とする請求項２または３記載の電子ペン用情報処理装置。
【請求項６】
上記電子ペン用情報処理装置が電子ペンと繋がる端末を介してネットワーク経由で接続されるサーバー装置に具備されてなることを特徴とする請求項２または３記載の電子ペン用情報処理装置。
【発明の詳細な説明】
【０００１】
【発明の属する技術分野】
本発明は、電子ペンを利用して各種用紙に筆記することで、筆記した情報を電子的な情報として取得し利用する際の情報処理に関し、特に電子ペンで筆記して得た電子的情報の扱いに関する処理命令を電子ペン自体の筆記行為により行なうための情報処理装置に関する。
【０００２】
【従来の技術】
近年、各種申込書、アンケート用紙、あるいは答案用紙などの各種用紙を電子化した電子フォームが利用されてきている。電子フォームは、紙の用紙の記入項目に相当する記入枠を複数のフィールドとして含む電子データである。このような電子的なフォームを利用する場合は、利用者自身でパーソナルコンピュータからなるシステムに電子フォームを読み込んで表示装置上に表示し、キーボードやマウスポインタなどの入力装置を操作して電子フォームに必要事項を入力する。入力された事項は電子データとしてシステム側に取得され、ネットワークなどを通じて当該提出機関に送信することができる。
【０００３】
しかしながら上記のような電子的なフォームの利用に当たって、パーソナルコンピュータの操作方法に関する知識を十分に有しない利用者や、キーボード入力を得意としない利用者などにとっては、上述の電子フォームを上手に利用することは難しいことが多い。そのような利用者にとっては、むしろ従来から行なわれているように、紙の用紙に対して通常の筆記具で記入する方法が最も簡便である。
【０００４】
このような場合に有効な入力デバイスとして、近年、「電子ペン」、「デジタルペン」などと呼ばれるペン型入力デバイスが登場しており（以下、本明細書では「電子ペン」と呼ぶ。）、その代表的なものとしてスウェーデン国Ａｎｏｔｏ社が開発した「アノトペン（Ａｎｏｔｏ  ｐｅｎ）」が知られている。アノトペンは、所定のドットパターンが形成された専用紙（以下、「専用ペーパー」と呼ぶ）とペアで使用される。アノトペンは、通常のインクタイプのペン先に加えて、専用ペーパー上のドットパターンを読み取るための小型カメラと、Ｂｌｕｅｔｏｏｔｈ対応の通信ユニットを搭載している。利用者が専用ペーパー上にアノトペンで文字などを書くと、ペンの移動に伴って小型カメラが専用ペーパー上のドットパターンを検出し、利用者が書き込んだ文字などの入力データが取得される。このデータがＢｌｕｅｔｏｏｔｈ対応の通信ユニットによりアノトペン近くのパーソナルコンピュータや携帯電話などの端末に送信される。
このアノトペンを利用したシステムは、キーボードやマウスポインタに代わる入力デバイスとして利用することが可能であり、上述のパーソナルコンピュータやキーボードの使用が苦手な利用者にとっては非常に使いやすい。
一方、官公庁や金融機関などの書類提出先でも、利用者の記入事項は従来のように紙の書類としてではなく、入力された電子データとして取得することができるので、そのままその後の電子的な処理を行なうことができるメリットがある。（特許文献１参照）
【０００５】
【特許文献１】
特表２００３−５００７７７
【０００６】
【発明が解決しようとする課題】
しかしながら、上述の電子ペンは、通常のインクペンと同様の操作性を実現することを主眼においてはいるものの、専用ペーパー上に単に電子ペンで筆記するだけでは筆記行為によって得られる記入情報に対する処理が進まない。
そこで、従来の技術によれば、例えば、前記記入情報を電子ペンに繋がる端末あるいは該端末を介してサーバーに送信するための送信指示命令を電子ペンの情報処理装置に与えるために、専用ペーパー上に送信指示命令などの指示命令の種類を選択するチェックボックス等の選択手段を用意しておき、このチェックボックス等の選択手段を電子ペンでチェックすることで送信指示命令を電子ペンに与えるようになっている。
しかしながら、電子ペンに与える指示命令は送信指示命令だけでなく、例えば、記入した文字を削除する削除命令、記入した文字を保存する保存命令、前記保存を解除する保存解除命令など、目的に応じて様々な命令が必要なり、必要な指示命令ごとにチェックボックス等の選択手段を用意することになる。
したがって、多くの指示命令の種類を選択するための選択手段を専用ペーパー上に形成することは、用紙デザイン上の制約を受けるという課題がある。
また、専用ペーパー上のスペースは限られているので、そこに形成可能なチェックボックスの数に制限が生ずるという課題がある。
また、専用ペーパー上にチェックボックス等の選択手段を印刷等の手段で図柄として形成するとなると、指示命令の種類に変更が生ずる度に専用ペーパーの図柄を印刷し直すことになり、経済性に欠けるという課題もある。
【０００７】
本発明は、以上記の課題を鑑みてなされた発明であり、電子ペンに対する処理命令を専用ペーパー上に予め用意したチェックボックス等の特定な指示命令にのみ対応するような選択手段を形成せずに、専用ペーパー上から記入する文字を利用して処理命令を与えることが可能な情報処理装置の提供を目的とする。
【０００８】
【課題を解決するための手段】
本発明の電子ペン用情報処理装置は、以下の各請求項に記載の手段により上記課題を解決した。
（請求項１）
用紙への記入及び該記入に対応する電子的情報の取得が可能な電子ペン（１０）により取得した記入情報を処理命令として所定の情報処理を行なう装置であって、
前記電子ペン（１０）により取得した記入情報が用紙（専用ペーパー２０）上に設けられた処理命令記入領域（３９）からの情報か否かを判別する記入領域判別手段（４１）と、前記電子ペン（１０）により取得した記入情報を文字情報として認識するための文字認識手段（４２）と、前記文字情報と処理命令とを対応付ける処理命令対応付け手段（４３）とを備え、前記記入領域判別手段（４１）により前記記入情報が処理命令記入領域（３９）からの情報であると判別された場合に、前記記入情報を認識して得られる文字情報を対応する処理命令として情報処理を行うようにしたことを特徴とする電子ペン用情報処理装置。
（請求項２）
上記電子ペン（１０）は、インクペンユニットと光学的にドットパターンを読み取る読取ユニット及び読み取った情報を外部に伝達する情報伝達手段を備える電子ペンであり、前記記入情報は、電子ペンにより取得可能なドットパターン（３２）が形成された用紙（専用ペーパー２０）上を電子ペンで描くことにより得られるストローク情報であることを特徴とする請求項１記載の電子ペン用報処理装置。
（請求項３）
上記記入領域判別手段（４１）は、上記ドットパターン（３２）の種類により判別するようにしたことを特徴とする請求項２記載の電子ペン用情報処理装置。
（請求項４）
上記電子ペン用情報処理装置（４０）が電子ペン（１０）と一体化されてなることを特徴とする請求項２または３記載の電子ペン用情報処理装置。
（請求項５）
上記電子ペン用情報処理装置（４０）が電子ペン（１０）と繋がる端末（２５）に具備されてなることを特徴とする請求項２または３記載の電子ペン用情報処理装置。
（請求項６）
上記電子ペン用情報処理装置（４０）が電子ペン（１０）と繋がる端末（２５）を介してネットワーク（２）経由で接続されるサーバー装置（サービスサーバー２７）に具備されてなることを特徴とする請求項２または３記載の電子ペン用情報処理装置。
【０００９】
【発明の実施の形態】
以下、本発明の実施の形態を図面に基づいて詳細に説明する。
【００１０】
［電子ペン］
まず始めに、電子ペンについて説明する。
図１は電子ペン１０の使用形態を模式的に示す図であり、図２は、電子ペン１０の構造を示す機能ブロック図である。図１に示すように、電子ペン１０は、ドットパターンが形成された専用ペーパー２０と組み合わせて使用される。
電子ペン１０は、通常のインクペンと同様のペン先部１７を備えており、利用者は通常のインクペンと同様のやり方で専用ペーパー２０上に文字などを書くことになる。
【００１１】
図２は電子ペンの構造を示す機能ブロック図である。図示のように、電子ペン１０は、その内部にプロセッサ１１、メモリ１２、Ｂｌｕｅｔｏｏｔｈトランシーバ１３、バッテリー１４、赤外線ＬＥＤ１５、カメラ１６及び圧力センサ１８を備える。
また、電子ペン１０は、通常のインクペンと同様の構成要素としてインクカートリッジ（図示せず）などを有する。
【００１２】
電子ペン１０は、ペン先部１７により専用ペーパー２０上に描かれたインクの軌跡をデータ化するのではなく、専用ペーパー２０上で電子ペン１０が移動した軌跡座標をデータ化する。
赤外線ＬＥＤ１５が専用ペーパー２０上のペン先部１７近傍を照明しつつ、カメラ１６が専用ペーパー２０に形成されているドットパターンを読み取り、データ化する。
つまり、電子ペン１０は、専用ペーパー２０上で利用者が電子ペン１０を移動させることにより生じるストロークを画像データ又はベクトルデータとして取得することができる。
【００１３】
圧力センサ１８は、利用者が電子ペン１０により専用ペーパー２０上に文字などを書く際にペン先部１７に与えられる圧力、即ち筆圧を検出し、プロセッサ１１へ供給する。
プロセッサ１１は、圧力センサ１８から与えられる筆圧データに基づいて、赤外線ＬＥＤ１５及びカメラ１６のスイッチオン／オフの切換を行なう。
即ち、利用者が電子ペン１０で専用ペーパー２０上に文字などを書くと、ペン先部１７には筆圧がかかる。よって、所定値以上の筆圧が検出されたときに、利用者が記述を開始したと判定して、赤外線ＬＥＤ１５及びカメラ１６を作動する。
【００１４】
カメラ１６は専用ペーパー２０上のドットパターンを読み取り、そのパターンデータをプロセッサ１１に供給する。
プロセッサ１１は、供給されたドットパターンから、専用ペーパー２０上でのＸ／Ｙ座標を算出する。
【００１５】
プロセッサ１１は、利用者の記述が行なわれる間に、筆圧の配列データ及びＸ／Ｙ座標データを取得し、タイムスタンプ（時間情報）と関連付けてメモリ１２に記憶していく。
よって、メモリ１２内には、利用者の記述内容に対応するデータが時系列で記憶されていく。メモリ１２の容量は例えば１Ｍバイト程度とすることができる。
【００１６】
利用者により送信指示がなされるまでは、取得された全てのデータはメモリ１２内に保持される。
そして、利用者が送信指示を行なうと、外部への情報伝達手段の一例であるＢｌｕｅｔｏｏｔｈトランシーバ１３により、電子ペン１０と所定距離内にある端末２５へのメモリ１２内のデータが送信される。
基本的には一度送信指示がなされると、電子ペン１０はメモリ１２内に記憶していた全ての情報を端末２５へ送信され、送信終了後メモリ１２内はクリアされる。
よって、電子ペン１０から端末に情報を送信した後に、もう一度同じ情報を端末２５へ送信したい場合には、利用者は専用ペーパー２０上に再度記述を行なう必要がある。
なお、この場合、利用者は専用ペーパー２０上にインクペンで書かれた文字などをなぞればよいことになる。
【００１７】
電子ペン１０自体は、送信ボタンなどの機能ボタンを備えておらず、送信指示その他の指示は、利用者が専用ペーパー２０上の所定位置に設けられた処理命令記入領域３９（詳細は後述）に電子ペン１０で処理命令に対応する文字を記入することにより実行される。
処理命令記入領域３９に記入された文字は、本発明の電子ペン用情報処理装置４０により命令コードに変換される。例えば、命令コードに対応付けられた文字が処理命令記入領域に記入されると、プロセッサ１１の処理によりＢｌｕｅｔｏｏｔｈトランシーバ１３にメモリ１２内のデータを供給し、端末２５へ送信を行なわせる。なお、電子ペン１０は、ディスプレイやボタンなどを持たないが、データの送信完了を電子ペンの振動のより示すことができる。
本発明の情報伝達手段は、上記の例で示したＢｌｕｅｔｏｏｔｈトランシーバのような無線方式に限られるものではなく、ケーブル接続方式でも、何らかの記録媒体経由での伝達方式でもよい。
【００１８】
バッテリー１４は、電子ペン１０内の各要素に電源供給するためのものであり、例えば、電子ペンのキャップ（図示せず）により電子ペン１０自体の電源オン／オフを行なうことができる。
【００１９】
このように、電子ペン１０は利用者が専用ペーパー２０上に記述した文字などに対応する座標データ及び筆圧データを取得して近傍の端末２５へ送信する機能を有するが、電子ペン１０のペン先部１７は通常のインクペンとなっているため、専用ペーパー２０上に記述した内容はオリジナルの原本として残るという特徴がある。
即ち、紙の原本に対して記述するのと同時に、その内容を座標データなどの形態でリアルタイムに電子化することができる。
【００２０】
なお、電子ペン１０の標準機能によれば、電子ペン１０により得られるデータは、原則として座標データ又はベクトルデータと呼ばれるストロークデータの形態であり、テキストデータではない。
但し、電子ペン１０は標準機能として、専用ペーパー２０上に設けられた専用エリアに記述することにより、英数字に限りテキスト化する座標データやベクトルデータから、文字認識アプリケーションを利用してテキストデータを得ることはもちろん可能である。
【００２１】
また、電子ペン１０内には、ペン自体及びその所有者に関するプロパティ情報（ペン情報及びペン所有者情報）を保持することができ、アプリケーションから参照することができる。
ペン情報としては、バッテリーレベル、ペンＩＤ、ペン製造者番号、ペンソフトウェアのバージョン、サブスクリプションプロバイダのＩＤなどを保持できる。
また、ペン所有者情報としては、国籍、言語、タイムゾーン、メールアドレス、空きメモリ容量、名前、住所、ファックス／電話番号、携帯電話番号などを保持することができる。
【００２２】
、電子ペンにより利用者が記述した内容のＸ／Ｙデータを所得する方法について説明する。
前述のように専用ペーパー２０には、所定のドットパターンが形成されている。電子ペン１０のカメラ１６は、利用者が専用ペーパー２０上に記述したインクの軌跡を読み取るのではなく、専用ペーパー２０上のドットパターンを読み取る。
実際、図１に示すように、赤外線ＬＥＤ１５による照明領域及びカメラ１６の撮影領域（照明領域に位置する）は、ペン先部１７が専用ペーパー２０に接触する位置とはずれている。
【００２３】
ドットパターンは、カーボンを含む専用インキなどで形成されており、カメラ１６はその専用インキによるパターンのみを認識することができる。
専用インキ以外のインキ（カーボンを含まない）により、専用ペーパー２０上に罫線や枠などを形成しても、電子ペンはそれらを認識することはない。よって、専用ペーパー２０を利用して各種申込書などの用紙を作成する際は、専用インキ以外のインキで入力枠や罫線、注意書きなどを形成する。
【００２４】
図３は、専用ペーパーに形成されたドットパターンによる情報の表現方法を説明する図である。ドットパターンは、図３に例示するように、各ドットの位置がデータに対応付けされている。
図３の例では、ドットの位置を格子の基準位置（縦線及び横線の交差点）から上下左右にシフトすることにより、０〜３の２ビット情報を表示した例である。このようにして表現された情報の組み合せにより、専用ペーパー２０上の位置座標が決定される。
【００２５】
図４は、ドットパターン及びそれに対応する情報の例を示す図である。図４（ａ）に例示するように、ドットパターンは縦横約２ｍｍの範囲内に３６個のドットが格子状に配置され、これらのドットにより示されるデータの配列（図４（ｂ））が、専用ペーパー２０上の位置座標を対応付けしている。
よって、電子ペン１０のカメラ１６から入力されるドットパターンを撮影すると、プロセッサ１１はカメラ１６から入力されるドットパターンのデータに基づいて、図４（ｂ）に示すデータ配列を取得し、それに対応する専用ペーパー２０上の位置座標（即ち、そのドットパターンがその専用ペーパー上のどの位置にあるか）をリアルタイムで算出する。
なお、ドットパターンを認識する最小単位は２ｍｍ×２ｍｍであり、カメラ１６は毎回毎秒１００回程度の撮影を行なう。
【００２６】
［電子ペン用専用ペーパー］
専用ペーパー２０について説明する。
図５は専用ペーパーの構造の一例をに示す図である。図示のように、専用ペーパー２０は、台紙３０上にドットパターン３２が形成され、その上に罫線などの図案３４が形成されている。
台紙３０は通常の紙であり、ドットパターン３２は前述のようにカーボンを含んだ専用インキにより形成されている。
また、通常のインキなどにより図案３４が形成されている。ドットパターン３２と図案とは、同時に形成してもよいし、いずれかを先に形成してもよい。
また、ドットパターン３２は、台紙３０の全面に形成した例を示したが、台紙の一部に形成するようしてもよい。
【００２７】
専用ペーパー２０上の領域は大きく２種類の領域に分けることができる。
１つは記入エリアであり、電子ペン１０による記述内容をそのまま情報として取り扱うエリアである。図５の例では記入部３８がこれに該当する。
もう１つは機能エリアであり、各種情報処理装置に対する処理命令を、電子ペンを利用して与えるための情報を取り扱うエリアである。図５の例では処理命令記入領域３９がこれに該当する。
処理命令記入領域３９からの記入情報を処理命令として情報処理装置を実行する詳細な処理手順については後述する。
なお、処理命令記入領域３９は、専用ペーパー２０上の何処に形成してもよいが、記入領域の邪魔にならない用紙周縁部に形成することが好ましい。処理命令に対応する文字は「Ｓｅｎｄ」とか「Ｃｌｅａｒ」のような短い文字数（通常は数文字）であるから、処理命令記入領域３９は数文字分の記入スペースがあればよい。
【００２８】
ドットパターン３２の割り当ては、通常、用紙（専用ペーパー）の種類毎に行なわれる。即ち、用紙内のドットパターンは一枚の用紙の中で重複することはないが、同じ種類の用紙には全て同じドットパターン３２が形成されている。
また、前述のようにドットパターン３２の形成されているエリアは何を意味するのかが予め定義されている。
よって、利用者が電子ペン１０で専用ペーパー２０に必要事項を入力すると、その入力事項がその用紙のどの項目に対応するものであるかを、用紙上の座標データから特定することができる。
このように、ドットパターン３２を形成した専用ペーパー２０上に、用紙として必要な記入部３８を含む図案３４をデザインし形成することにより、電子ペン１０により記入部３８に何らかの筆記記入することで、記入した情報を自動的に電子データ化可能な用紙が作成できる。
【００２９】
なお、ドットパターン３２の形成、あるいは記入部３８、処理命令記入領域３９を示す罫線枠、その他必要な情報の形成は、予め製版された印刷版をオフセット印刷機等の所謂印刷装置を用いて印刷形成する手段（以下、単に「印刷」または「印刷形成」という）、またはコンピュータに接続され制御される所謂プリンター装置に、該コンピュータからのデータを送りプリント形成する手段（以下、単に「プリント」または「プリント形成」という。）により行なわれる。
【００３０】
印刷機による印刷は、大量に同じものを製造するのに適する。よって、印刷により本発明の用紙を作成する場合は、同じ種類の用紙であれば、通常は同じドットパターン３２を形成することになる。
なお、全ての用紙に同一のドットパターンを形成する場合であってもプリンター装置でプリント形成してもよいことは言うまでもない。
プリンター装置により本発明の用紙をプリント形成する場合は、プリンター装置に送るデータを用紙毎にユニークなものを用意しておけば、用紙毎にユニークなドットパターン３２を定め、これをプリント形成することで可能となる。
この場合は、本発明の専用ペーパー２０に形成される任意の位置のドットパターン３２を電子ペン１０で読み取るだけで用紙一枚毎に用紙の特定ができる。例えば、配送伝票のように予め用紙に連続番号を付与するようなもの、あるいは、用紙毎に利用者の個人情報を印字し、個々の用紙を特定したい場合に利用できる。
【００３１】
［データ送信処理］
電子ペンにより取得したデータの送信処理について説明する。
前述のように、電子ペン１０の通信機能（情報を外部に伝達する情報伝達手段）はＢｌｕｅｔｏｏｔｈによるものであり、専用ペーパー２０に入力したデータを取り扱うサービスサーバー（特定の申込書であれば、その申込先のサーバーということになる）に対して電子ペン１０から直接的にデータを送信することはできない。
よって、電子ペン１０により取得したデータは、端末２５からサービスサーバー２７へ送信される。
【００３２】
その際の処理を図２を参照して説明する。
電子ペン１０が取得したデータは、主として利用者が入力した事項のデータであるが、通常はそのデータの送信先であるサービスサーバー２７がどこであるかの情報は含まれていない。
その代わりに、その専用ペーパーに関するアプリケーションやサービスを特定する情報が専用ペーパー上のドットパターンの中に形成されており、利用者の入力作業中に専用ペーパーからその情報が取得されている。
よって、電子ペン１０から入力データを受け取った端末２５は、まず、問い合わせサーバー２６に対して、その専用ペーパーに対して入力されたデータをどのサービスサーバー２７へ送信すべきかの問い合わせを行なう。
問い合わせサーバー２６は、専用ペーパー毎に、対応するサービスサーバーの情報を有しており、端末２５からの問い合わせに応じて、当該専用ペーパーに関するサービスなどを行なうサービスサーバー２７の情報（ＵＲＬなど）を端末２５へ回答する。
それから、端末２５は、電子ペン１０から取得した入力データをそのサービスサーバー２７へ送信することになる。
【００３３】
［処理命令認識処理について］
本願発明の処理命令認識処理について、図６から図８を参照して説明する。
図６は、本発明の電子ペン用情報処理装置の構成を示すブロック図である。図中、４１は記入領域判別手段、４２は文字情報認識手段、４３は処理命令対応付け手段である。
【００３４】
前述のように記入情報は、専用ペーパー２０上を電子ペン１０が移動することにより生じるストロークを画像データ又はベクトルデータという形式の情報（以下、ストローク情報という）として得たものである。したがって、取得したストローク情報を解釈するには何らかのコードデータ化する必要がある。
記入領域判別手段４１は、電子ペン１０により取得した記入情報が専用ペーパー２０上に設けられた処理命令記入領域からの情報なのか、あるいは通常の筆記情報なのかを判別するもので、ドットパターンの種類により判別するやり方と、取得した座標データを基に、予め定義された記入情報の種類を示す座標データと照合して判別するやり方とがある。
文字認識手段４２は、ストローク情報を文字情報に変換するものであり、具体的にはストローク情報の形状から予め登録された文字形状にもっとも近いものを識別し、該当する文字コードを決定するものである。
処理命令対応付け手段４３は、前記文字認識手段４２によって得られた文字コードの集合体（以下、文字コード列という）が意味する処理命令コードを決定するものである。
【００３５】
例えば、記入情報を送信するための「送信命令」を与えたいとする。
この場合、電子ペンで記入部３８へ所定情報を記入した後、処理命令記入領域３９に電子ペンで、「Ｓｅｎｄ」と書くことで、電子ペン用情報処理装置４０に「ｓｅｎｄ」に相当するストローク情報が取得される。
電子ペン用情報処理装置４０においては、まず、記入領域判別手段４１により取得した情報が処理命令記入領域３９に書かれた情報であること判断される。
次に、文字認識手段４２で「ｓｅｎｄ」を構成する文字コード列に変換され、これが処理命令対応付け手段４３で「送信命令」として解釈され、「送信命令」に対応する処理命令コードとして所定の処理がなされ、記入情報の送信が完了する。
【００３６】
図６において、電子ペン用情報処理装置４０が電子ペン１０と一体化されるように構成いてもよい。
あるいは、電子ペン用情報処理装置４０が電子ペン１０と繋がる端末２５にあってもよい。
あるいは、電子ペン用情報処理装置４０が電子ペン１０と繋がる端末２５を介してネットワーク２経由で接続されるサーバー装置、具体的にはサービスサーバー２７にあってもよい。
【００３７】
図７は、本発明の処理命令認識処理手順を示すフローチャートの一例である。同図に示すフローチャートは、電子ペンが取得した記入情報を常時文字認識する方式の処理命令認識処理手順で、以下の各ステップ（Ｓ１０〜Ｓ１５）により構成される。
電子ペン１０により専用ペーパー２０に文字などの記入を行ない、記入情報を取得するステップ（Ｓ１０）。
文字認識手段４２により、前記記入情報（ストローク情報）を文字情報（文字コード列）に変換するステップ（Ｓ１１）。
記入情報判別手段４１により、前記記入情報が、処理命令記入領域から取得した情報か否かを判別するステップ（Ｓ１２）。
その結果、処理命令記入領域から取得した情報でないときは（Ｓ１０）に戻る。
処理命令記入領域から取得した情報であるときは、処理命令対応付け手段４３により、文字情報（文字コード列）と処理命令（処理命令コード）との対応付けを行なうステップ（Ｓ１３）。
前記取得した情報に対応する処理命令の存在を判断する（Ｓ１４）。
その結果、該当する処理命令が存在しなければ（Ｓ１０）に戻る。このとき必要に応じてエラーメッセージを出すようにしてもよい。
該当する処理命令が存在するときは、該当する処理命令を実行する（Ｓ１５）ステップ。
【００３８】
図８は、本発明の電子ペン用情報処理装置４０による処理命令認識処理手順を示すフローチャートの変形例である。
同図に示すフローチャートは、電子ペンが取得した記入情報が処理命令記入領域からの場合のみ、文字認識する方式の処理命令認識処理手順で、以下の各ステップ（Ｓ２０からＳ２５）により構成される。
電子ペン１０により専用ペーパー２０に文字などの記入を行ない、記入情報を取得するステップ（Ｓ２０）。
記入情報判別手段４１により、前記記入情報が、処理命令記入領域から取得した情報か否かを判別するステップ（Ｓ２１）。
その結果、処理命令記入領域から取得した情報でないときは（Ｓ１０）に戻る。
処理命令記入領域から取得した情報であるときは、文字認識手段４２により、前記記入情報（ストローク情報）を文字情報（文字コード列）に変換するステップ（Ｓ２２）。
処理命令対応付け手段４３により、文字情報（文字コード列）と処理命令（処理命令コード）との対応付けを行なうステップ（Ｓ２３）。
前記取得した情報に対応する処理命令の存在を判断するステップ（Ｓ２４）。
その結果、該当する処理命令が存在しなければ（Ｓ１０）に戻る。このとき必要に応じてエラーメッセージを出すようにしてもよい。
該当する処理命令が存在するときは、該当する処理命令を実行するステップ（Ｓ２５）。
【００３９】
なお、電子ペン用情報処理装置４０は、コンピュータ（図示せず）を具備しており、上記図７または図８のフローチャートで示される処理プログラムを前記コンピュータで実行することにより、上述の情報処理がなされる。
【００４０】
【発明の効果】
以上説明したように、本発明によれば、処理命令記入領域に処理命令を電子ペンで文字情報として入力するので、特定の処理命令にのみ対応するチェックボックス等の選択手段を専用ペーパー上に形成する必要がないという効果がある。
【００４１】
また、処理命令記入領域を専用ペーパーの周辺に形成すれば、専用ペーパーの図案デザイン上の制約も受けにくいという効果がある。
【００４２】
また、処理命令の追加や削除があっても、専用ペーパーの図案デザインを一々変更しなくてもよいという効果がある。
【図面の簡単な説明】
【図１】電子ペンの使用形態を模式的に示す図である。
【図２】電子ペンの構造を示す機能ブロック図である。
【図３】専用ペーパーに形成されたドットパターンによる情報の表現方法を説明する図である。
【図４】ドットパターン及びそれに対応する情報の例を示す図である。
【図５】専用ペーパーの構造の一例を示す図である。
【図６】本発明の電子ペン用情報処理装置の構成を示すブロック図である。
【図７】本発明の処理命令認識処理手順を示すフローチャートの一例である。
【図８】本発明の処理命令認識処理手順を示すフローチャートの変形例である。
【符号の説明】
２  ネットワーク
１０  電子ペン
１７  ペン先
２０  専用ペーパー
２５  端末
２６  問い合わせサーバー
２７  サービスサーバー
３０  台紙
３２  ドットパターン
３４  図案
３８  記入部
３９  処理命令記入領域
４０  電子ペン用情報処理装置
４１  記入領域判別手段
４２  文字認識手段
４３  処理命令対応付け手段
【図１】
2004302608.tif 000003
【図２】
2004302608.tif 000004
【図３】
2004302608.tif 000005
【図４】
2004302608.tif 000006
【図５】
2004302608.tif 000007
【図６】
2004302608.tif 000008
【図７】
2004302608.tif 000009
【図８】
2004302608.tif 000010